(57)【要約】【課題】敷石上面の雨水等を容易に下方に排水できる敷石の設置構造を提供する。【解決手段】敷石１が矩形板状の敷石本体２と、この敷石本体２の２つの側面２ａの幅方向中央部からそれぞれ突出するようにして設けられた凸部３と、残りの２つの側面２ｂの幅方向中央部にそれぞれ設けられた凹部４とを備え、一方の敷石１の凸部３の先端部が他方の敷石１の凹部４に、隣り合う敷石本体２，２間に目地６となる間隔Ｓをもって嵌合している。したがって、この目地６において凸部３の両側は上下に貫通した空間となり、また、凸部３の上面３ｃに流れてきた雨水は、この上面３ｃを横方向に流れて、前記上下に貫通した空間に流入する。したがって、この目地６の空間を通して敷石本体２上の雨水を下方に容易に排水できる。【選択図】図３
2008069600.tif 000002
【特許請求の範囲】
【請求項１】
敷石を設置面上に縦横に設置してなる敷石の設置構造であって、
前記敷石は矩形板状の敷石本体と、この敷石本体の４つの側面のうちの、２つの側面の幅方向中央部からそれぞれ突出するようにして設けられ、上面が前記敷石本体の上面より低い凸部と、残りの２つの側面の幅方向中央部にそれぞれ設けられた凹部とを備えており、
隣り合う敷石のうち、一方の敷石の凸部の先端部が他方の敷石の凹部に、隣り合う敷石本体間に目地となる間隔をもって嵌合していることを特徴とする敷石の設置構造。 
【請求項２】
請求項１に記載の敷石の設置構造において、
前記凸部は前記敷石本体と別体であり、
前記敷石本体の下面には、係合凹部が前記凸部が設けられる側面に開口するようにして形成されており、この係合凹部に前記凸部の基端部が係合されることによって、該凸部が敷石本体の２つの側面の中央部からそれぞれ突出するようにして設けられていることを特徴とする敷石の設置構造。 
【請求項３】
請求項１または２に記載の敷石の設置構造において、
前記凸部は平面視において外縁が円弧状に形成されていることを特徴とする敷石の設置構造。 
【請求項４】
請求項１または２に記載の敷石の設置構造において、
前記凸部は平面視において矩形状に形成されていることを特徴とする敷石の設置構造。
【請求項５】
請求項１〜４のいずれか一項に記載の敷石の設置構造において、
前記目地には透水性を有する目地材が充填されていることを特徴とする敷石の設置構造。
【発明の詳細な説明】
【技術分野】
【０００１】
本発明は、住宅のエントランス、庭、バルコニーの床、屋上などに設置する敷石の設置構造に関する。
【背景技術】
【０００２】
従来、敷石の一例として特許文献１に記載のものが知られている。この敷石は、天然石ブロックの一側を上面側からＬ字形に切欠いて底部に上向きの支持面を有する支持部を形成するとともに、他側の底部を下面側から前記支持部の厚さ分だけ逆Ｌ字形に切欠いて前記支持部の支持面の延長面上にある下向きの係合面を有する係合部を形成してなるものである。
そして、このような敷石を設置面に縦横に設置する場合、隣り合う敷石どうしは、一方の敷石の支持部を他方の敷石の係合部に係合することによって設置される。
【特許文献１】特開２００４−３６１１３号公報
【発明の開示】
【発明が解決しようとする課題】
【０００３】
ところで、上記のような敷石の設置構造では、隣り合う敷石どうしが、一方の敷石の支持部を他方の敷石の係合部に係合することによって設置されるが、支持部は敷石の側面の幅方向全体に亙って形成されている。したがって、隣り合う敷石間に形成される目地の底部は支持面の上面となるため、目地に透水性を持たせて、敷石上面の雨水等を目地を通して下方に排水することは困難である。このため、従来では例えば、水勾配を設け雨水を集中させ、排水設備に流している。
【０００４】
本発明は上記事情に鑑みてなされたもので、排水設備に流すことなく、敷石上面の雨水等を容易に下方に排水できる敷石の設置構造を提供することを課題としている。
【課題を解決するための手段】
【０００５】
上記課題を解決するために、請求項１に記載の発明は、例えば図１〜図４に示すように、敷石を設置面上に縦横に設置してなる敷石の設置構造であって、
前記敷石１は矩形板状の敷石本体２と、この敷石本体２の４つの側面のうちの、２つの側面２ａの幅方向中央部からそれぞれ突出するようにして設けられ、上面３ａが前記敷石本体２の上面２ｃより低い凸部３と、残りの２つの側面２ｂの幅方向中央部にそれぞれ設けられた凹部４とを備えており、
隣り合う敷石１，１のうち、一方の敷石１の凸部３の先端部が他方の敷石１の凹部４に、隣り合う敷石本体２，２間に目地６となる間隔Ｓをもって嵌合していることを特徴とする。
【０００６】
ここで、凸部３が設けられる２つの側面は、互いに直角に配置された２つの側面でもよいし、互いに平行な対向する二つの側面であってもよい。同様に、凹部４が設けられる２つの側面は、互いに直角に配置された２つの側面でもよいし、互いに平行な対向する二つの側面であってもよい。
【０００７】
請求項１に記載の発明によれば、敷石本体２の側面２ａの中央部に凸部３が形成されているので、この凸部３の両側は空間となる。そして、一方の敷石１の凸部３の先端部が、他方の敷石１の凹部４に目地６となる間隔Ｓをもって嵌合しているので、この目地６において前記凸部３の両側は上下に貫通した空間となる。また、凸部３の上面３ｃに流れてきた雨水は、この上面３ｃを横方向に流れて、前記上下に貫通した空間に流入する。したがって、この目地６の空間を通して敷石本体２上の雨水を下方に容易に排水できる。
【０００８】
請求項２に記載の発明は、例えば図５および図６に示すように、請求項１に記載の敷石の設置構造において、
前記凸部１３は前記敷石本体２と別体であり、
前記敷石本体２の下面２ｄには、係合凹部１４が前記凸部３が設けられる側面２ａに開口するようにして形成されており、この係合凹部１４に前記凸部３の基端部が係合されることによって、該凸部３が敷石本体２の２つの側面２ａの中央部からそれぞれ突出するようにして設けられていることを特徴とする。
【０００９】
請求項２に記載の発明によれば、凸部１３が敷石本体２と別体であり、敷石本体２に形成された係合凹部１４に、凸部１３の基端部が係合されることによって、凸部１３が敷石本体２の２つの側面２ａの中央部からそれぞれ突出するようにして設けられているので、敷石本体２が例えば自然石の場合のように、凸部１３を敷石本体１３と一体的に形成するのが困難である場合に、凸部１３を容易に設けることができるとともに、凸部１３の材料も自由に選択できる。
【００１０】
請求項３に記載の発明は、例えば図１〜図４に示すように、請求項１または２に記載の敷石の設置構造において、
前記凸部３は平面視において外縁が円弧状に形成されていることを特徴とする。
【００１１】
請求項３に記載の発明によれば、凸部３の外縁が平面視において円弧状であるので、凸部３は先端に向かうほど幅狭となって、目地６の排水面積が大きくなる。したがって、敷石本体２上の雨水を下方に効率的に排出できる。
また、凸部３の外縁が円弧状であり、角部を有していないので、敷石１の取り扱いの際に凸部３の損傷を防止できる。
【００１２】
請求項４に記載の発明は、例えば図４および図５に示すように、請求項１または２に記載の敷石の設置構造において、
前記凸部１３は平面視において矩形状に形成されていることを特徴とする。
【００１３】
請求項４に記載の発明によれば、凸部１３が平面視において矩形状であるので、外縁が円弧状の凸部でかつ基端部の幅が矩形状のものと同じものと比べて、凹部１５との嵌合面積が大きくなり、よって嵌合強度を高めることができる。
【００１４】
請求項５に記載の発明は、例えば図３および図４に示すように、請求項１〜４のいずれか一項に記載の敷石の設置構造において、
前記目地６には透水性を有する目地材７が充填されていることを特徴とする。
【００１５】
請求項５に記載の発明によれば、隣り合う敷石本体２，２間の目地６に目地材７が充填されているので、この目地材７によって凸部３が覆われて上から見えることがなく、外観上好ましいものとなる。また、目地材７は透水性を有しているので、目地６に目地材７を充填しても透水性が損なわれることはない。
【発明の効果】
【００１６】
本発明によれば、敷石が敷石本体と、この敷石本体の一側面の幅方向中央部から突出するようにして設けられた凸部と、前記一側面と直角な他側面の幅方向中央部に設けられた凹部とを備えており、隣り合う敷石のうち、一方の敷石の凸部の先端部が他方の敷石の凹部に、隣り合う敷石本体間に目地となる間隔をもって嵌合しているので、この目地において前記凸部の両側は上下に貫通した空間となる。また、凸部の上面に流れてきた雨水は、この上面を横方向に流れて、前記上下に貫通した空間に流入する。したがって、目地の空間を通して敷石本体上の雨水を下方に容易に排水できる。
【発明を実施するための最良の形態】
【００１７】
以下図面を参照して本発明の実施の形態について説明する。
（第１の実施の形態）
図１は本発明の敷石の設置構造に使用される敷石の斜視図、図２は敷石を設置した状態を示す平面図、図３は敷石を設置した状態を示す要部の拡大平面図、図４は図３におけるＡ−Ａ線断面図である。
図１に示すように、敷石１は矩形板状の敷石本体２と、この敷石本体２に設けられた凸部３と凹部４とを備えている。
敷石本体２は御影石等の自然石で形成されたものであり、例えば平面視において縦横の長さが４００ｍｍ程度、厚さが６０ｍｍ程度とされている。
【００１８】
凸部３は敷石本体２の２つの側面２ａ，２ａに、それぞれの幅方向中央部から突出するようにして設けられたものであり、平面視において外縁が円弧状に形成されている。つまり、凸部３の外周面３ｃは凸状の円弧面となっている。
また、凸部３の上面３ａは敷石本体２の上面２ｃより低く形成されている。この上面２ｃの下面２ｄからの高さは敷石本体２の厚さの約半分の高さとなっている。また、凸部３の下面３ｂは敷石本体２の下面２ｃと面一となっている。なお、凸部３ｃは敷石本体２と一体的に形成してもよいし、別体としてもよい。凸部３ｃを別体とする場合は、該凸部３ｃを接着剤等によって、敷石本体２の側面２に接着すればよい。
【００１９】
凹部４は敷石本体２の残りの２つの側面２ｂ，２ｂの幅方向中央部にそれぞれ設けられたものであり、凸部３の先端部が嵌合するように、上面４ａが平面となっており、側面４ｃが凹状の円弧面となっている。そして、この側面４ｃと凸部３の外周面３ｃとは同じ曲率の円弧面となっている。また、凹部４の上面４ａは、敷石本体２の下面２ｄからの高さが凸部３の厚さと等しくなっている。さらに、凹部４の深さは凸部３の突出長さより浅くなっている。したがって、凹部４には凸部３の先端部がピッタリと嵌合するようになっている。
【００２０】
上記のような構成の敷石１は、図２〜図４に示すように、設置面５上に縦横に配置されて設置される。この場合、縦横に隣り合う敷石１，１のうち、一方の敷石１の凸部３の先端部が他方の敷石１の凹部４に、隣り合う敷石本体２，２間に目地６となる間隔Ｓをもって嵌合している。
この状態において、一つの敷石１の周囲には、縦横において４つの敷石１が配置されているが、ある一つの敷石１の凸部３の先端部が隣の敷石１の凹部４に嵌合しており、前記ある一つの敷石の凹部４には、隣の敷石１の凸部３が嵌合しているので、敷石１は縦横の４方向から拘束される。したがって、敷石１，１間に目地６があっても、敷石１がずれることがない。
また、目地６には透水性を有する目地材７が敷石１の上面とほぼ面一になるようにして充填されている。この目地材７は砂利であるが、芝生、苔、低草木等の地被植物で構成してもよい。
【００２１】
なお、図２では、凸部３を図示するために、目地６に充填する目地材７を省略してある。また、設置面５を住宅等の庭に設ける場合、該設置面５は例えば地面とされる。したがって、目地６を下方に流れてきた雨水は地面中に排水される。
また、設置面５がバルコニーの床等である場合は、敷石１とバルコニー床との間にスペーサ等を介在させて、敷石１の下面と、バルコニー床との間に隙間を設け、目地６を下方に流れてきた雨水は前記隙間を流れ、バルコニー床に形成された排水溝等に排水される。
【００２２】
本実施の形態によれば、敷石本体１の側面２ａ，２ｂの中央部に凸部３，３が形成されているので、この凸部３，３の両側は空間となる。そして、隣り合う敷石１，１のうち、一方の敷石１の凸部３の先端部が、他方の敷石１の凹部４に目地６となる間隔Ｓをもって嵌合しているので、この目地６において前記凸部３の両側は上下に貫通した空間となる。また、凸部３の上面に流れてきた雨水は、この上面を横方向に流れて、前記上下に貫通した空間に流入する。したがって、この目地６の空間を通して敷石本体２上の雨水を下方に容易に排水できる。
また、凸部３の外縁が平面視において円弧状であるので、凸部３は先端に向かうほど幅狭となって、目地６の排水面積が大きくなる。したがって、敷石本体２上の雨水を下方に効率的に排出できる。
また、凸部３の外縁が円弧状であり、角部を有していないので、敷石１の取り扱いの際に凸部３の損傷を防止できる。
さらに、隣り合う敷石本体２，２間の目地６に目地材７が充填されているので、この目地材７によって凸部３が覆われて上から見えることがなく、外観上好ましいものとなる。  また、目地材７は透水性を有しているので、目地６に目地材７を充填しても透水性が損なわれることはない。
【００２３】
（第２の実施の形態）
図５および図６は本発明の第２の実施の形態を示すもので、図５は敷石を設置した状態を示す要部の断面図、図６は同底面図である。
この第２の実施の形態が前記第１の実施の形態と異なる点は、凸部を敷石本体２と別体に構成した点である。なお、第１の実施の形態と共通部分には同一符号を付して、その説明を省略する。
本実施の形態では、凸部１３は敷石本体２と別体に形成されたものであり、例えば、樹脂、木材、金属等によって形成されている。凸部１３は平面視において矩形状に形成されており、その基端部には、上方に突出する突出部１３ａが形成されており、先端部にも上方に突出する突出部１３ｂが形成されている。これら突出部１３ａ，１３ｂは同形状のものである。
【００２４】
また、敷石本体２の下面２ｄには、係合凹部１４が形成されている。この係合凹部１４は、側面２ａに開口するようにして形成されており、その奥側には上方に突出する突出凹部１４ａが形成されている。
係合凹部１４の幅は、凸部１３の幅と等しく形成され、突出凹部１４ａの深さは突出部１３ａの突出量と等しくなっている。したがって、係合凹部１４に凸部１３の基端部を係合させることによって、この基端部が係合凹部１４に嵌り込むとともに、突出凹部１４ａに突出部１３ａが嵌り込むようになっている。
【００２５】
また、敷石本体２の下面２ｄには、前記凸部１３の先端部が嵌り込む凹部１５が形成されている。この凹部１５は、側面２ｂに開口するようにして形成されており、その奥側には上方に突出する突出凹部１５ａが形成されている。
なお、凹部１５ａは前記係合凹部１４と同形状であり、突出凹部１５ａは前記突出凹部１４ａと同形状である。したがって、敷石本体２の下面２ｄには、側面２ａ，２ａに開口する係合凹部１４，１４と、側面２ｂ，２ｂに開口する凹部１５，１５の合計４つの同形状の凹部が形成されている。
【００２６】
そして、上記のような構成の敷石１は、設置面５上に縦横に配置されて設置される。この場合、縦横に隣り合う敷石１，１のうち、一方の敷石１の凸部１３の先端部が他方の敷石１の凹部１５に、隣り合う敷石本体２，２間に目地６となる間隔Ｓをもって嵌合しており、凸部１３の先端の突出部１３ｂは、凹部１５の突出凹部１５ａに嵌合している。なお、凸部１３の基端部の突出部１３ａは、係合凹部１４の突出凹部１４ａに嵌合している。
【００２７】
本実施の形態によれば、第１の実施の形態と同様の効果を得ることができるのは勿論のこと、凸部１３が敷石本体２と別体であり、敷石本体２に形成された係合凹部１４に、凸部１３の基端部が係合されることによって、凸部１３が敷石本体の２つの側面２ａ，２ａの中央部からそれぞれ突出するようにして設けられているので、敷石が例えば自然石の場合のように、凸部１３を敷石本体２と一体的に形成するのが困難である場合に、凸部２を容易に設けることができるとともに、凸部２の材料も自由に選択できる。
また、凸部１３が平面視において矩形状であるので、外縁が円弧状の凸部でかつ基端部の幅が矩形状のものと同じものと比べて、凹部１５との嵌合面積が大きくなり、よって嵌合強度を高めることができる。
【図面の簡単な説明】
【００２８】
【図１】本発明の第１の実施の形態を示すもので、敷石の設置構造に使用される敷石の斜視図である。
【図２】同、敷石を設置した状態を示す平面図である。
【図３】同、敷石を設置した状態を示す要部の拡大平面図である。
【図４】同、図３におけるＡ−Ａ線断面図である。
【図５】本発明の第２の実施の形態を示すもので、敷石を設置した状態を示す要部の断面図である。
【図６】同、底面図である。
【符号の説明】
【００２９】
１  敷石
２  敷石本体
２ａ，２ｂ  側面
３，１３  凸部
４，１５  凹部
５  設置面
６  目地
７  目地材
１４  係合凹部
【図１】
2008069600.tif 000003
【図２】
2008069600.tif 000004
【図３】
2008069600.tif 000005
【図４】
2008069600.tif 000006
【図５】
2008069600.tif 000007
【図６】
2008069600.tif 000008